(57)【要約】【課題】ポジティブフィルムとネガティブフィルムを載置できるホルダーを提供する。【解決手段】矩形状の挟み台座と矩形状の押し蓋を含み、両者は共に２個長手端と２個短手端を有し、矩形状の挟み台座は矩形状の凹部を有し、ポジティブフィルムとネガティブフィルムをその中に載置するのに用いられ、矩形状押し蓋の一短手端は矩形状挟み台座の一短手端にピボットし矩形凹部に収納される。【選択図】図４
2008146000.tif 000002
【特許請求の範囲】
【請求項１】
２個の長手端と２個の短手端を有し、さらに矩形状の凹部を有し、ポジティブフィルムとネガティブフィルムをその中に載置するのに用いられる矩形状の挟み台座と、
２個の長手端と２個の短手端を有し、ポジティブフィルムとネガティブフィルムを前記挟み台座に挟むのに用いられる矩形状の押し蓋とを含み、
前記押し蓋の一短手端には前記挟み台座の一短手端にピボットし前記矩形凹部に収納されることを特徴とするポジティブフィルムとネガティブフィルムを載置できるホルダー。
【請求項２】
前記矩形凹部にある２個長手端にフック孔を複数設置し、前記押し蓋の前記２個長手端は前記複数のフック孔に対応し、前記複数フック孔と結合するための複数のカンムを設置することを特徴とする請求項１に記載するポジティブフィルムとネガティブフィルムを載置できるホルダー。
【請求項３】
前記矩形凹部にある前記２個長手端の２個端部のカンム係止フックはそれぞれ傾斜面を持っていることを特徴とする請求項２に記載するポジティブフィルムとネガティブフィルムを載置できるホルダー。
【請求項４】
前記矩形凹部の周囲にさらに前記ポジティブフィルムを載置する位置を定義するための複数のリブを含むことを特徴とする請求項１に記載するポジティブフィルムとネガティブフィルムを載置できるホルダー。
【請求項５】
前記矩形状押し蓋にある２個長手端はさらに前記ネガティブフィルムを押さえ付けるための複数の突起柱を含むことを特徴とする請求項１に記載するポジティブフィルムとネガティブフィルムを載置できるホルダー。
【請求項６】
前記矩形状押し蓋にある２個長手端はさらに前記ポジティブフィルムを押さえ付けるための複数の弾性アームを含むことを特徴とする請求項１に記載するポジティブフィルムとネガティブフィルムを載置できるホルダー。
【請求項７】
前記押し蓋は弾性プラスチックから構成されることを特徴とする請求項１に記載するポジティブフィルムとネガティブフィルムを載置できるホルダー。
【請求項８】
前記押し蓋の前記２個長手端にそれぞれ複数の弾性押しボタンを有することを特徴とする請求項７に記載するポジティブフィルムとネガティブフィルムを載置できるホルダー。
【請求項９】
前記挟み台座はさらに係止ロックと２個係止部材を含み、前記ホルダーをイメージ処理装置のバックライトに固着することを特徴とする請求項１に記載するポジティブフィルムとネガティブフィルムを載置できるホルダー。
【請求項１０】
バックライトと、
前記ポジティブフィルムと前記ネガティブフィルムを載置するための透明のプラットフォームと、
前記ポジティブフィルムと前記ネガティブフィルムをスキャンするためのスキャンモジュールと、
２個長手端と２個短手端を有し、脱着方式により前記バックライトに設置するホルダーを含み、
また、前記ホルダーはさらに
２個長手端と２個短手端を有する矩形状の挟み台座を有し、前記矩形状の挟み台座はさらに前記ポジティブフィルムと前記ネガティブフィルムをその中に載置するための矩形凹部と、
２個長手端と２個短手端を有し、前記ポジティブフィルムと前記ネガティブフィルムを前記挟み台座に挟持するための矩形押し蓋であって、前記押し蓋の短手端は前記挟み台座の短手端にピボットし、前記矩形凹部に収納されることを含むことを特徴とするポジティブフィルムとネガティブフィルムをスキャンできるイメージ処理装置。
【請求項１１】
前記イメージ処理装置はスキャン装置または多機能の事務機器であることを特徴とする請求項１０に記載するポジティブフィルムとネガティブフィルムをスキャンできるイメージ処理装置。
【発明の詳細な説明】
【技術分野】
【０００１】
本発明はホルダーに関し、特にポジティブフィルムとネガティブフィルムを載置できるホルダーに関する。
【背景技術】
【０００２】
時代が進化するにつれ、データの保存はデジタル化し、文書データはスキャナ若しくはマルチ機能事務機などによりスキャンされデジタル方式で保存される。写真、スライドフィルム、ロールフィルムネガなどを含むイメージデータもまたデジタル化の道を歩んでおり、イメージデータはスキャナされた後デジタル方式でパソコンに保存され、パソコンを通じてデジタル化されたイメージデータを修正する。例えば、スライドフィルム、ロールフィルムネガ、映写フィルムなどのスライド文書をスキャナする時、透過式映像処理装置を使用する必要があり、スライド文書のイメージはイメージ処理装置によってデジタル方式の電子データに転換される。
【０００３】
従来の技術でスライド文書をスキャンする際に、ネガの固定挟みでポジティブフィルム若しくはネガティブフィルムの位置を固定する。図１は従来のホルダーの概略図である。この従来の技術は台湾第ＴＷ1241124号特許で掲示した内容である。図１で示すように、ホルダー１００は矩形状の挟み台座１１０と矩形状の押し蓋１２０を有する。矩形状の挟み台座１１０にはネガティブフィルム溝１１２、ポジティブフィルム溝１１４、フック溝１１６リブ１１８、係止フック１３０、係止部材１３２及び係止挟み１３４を具えている。ネガティブフィルム溝１１２はフィルムネガ（ネガティブフィルム）をセットするのに用い、ポジティブフィルム溝１１４はスライドフィルム（ポジティブフィルム）載置するのに用い、係止挟み１３４はネガティブフィルムをネガティブフィルム溝１１２に載置する際、ネガティブフィルムの短手端をネガティブフィルム溝１１２内に係止するのに用いられ、係止フック１３０及び係止部材１３２はホルダー１００をイメージ処理装置のバックライトに係止するのに用いられる。矩形状の押し蓋１２０にはプレート１２２、突起板１２４、弾性アーム１２６及びカンム係止フック１２８を具えている。プレート１２２及び弾性アーム１２６は矩形状の押し蓋１２０を矩形状の挟み台座１１０に係止する際、ポジティブフィルム溝１１４のポジティブフィルムを固定させるのに用い、突起板１２４はネガティブフィルム溝１１２のネガティブフィルムを固定させるのに用い、リブ１１８はポジティブフィルム溝１１４の位置を定義するのに用い、さらにネガティブフィルムの長手端を固定させることが出来る。また、カンム係止フック１２８は対応するフック溝１１６と結合して矩形状の押し蓋１２０が矩形状の挟み台座１１０に係止する効果を生む。
【０００４】
図２並びに図３は従来のホルダーにポジティブフィルムとネガティブフィルムを載置した概略図である。両図を比較すると、ポジティブフィルム１９２のサイズに比べ、ネガティブフィルム１９４のサイズが長いことが明らかに分る。このため矩形状の挟み台座１１０の中で、ネガティブフィルム溝１１２の両部分領域は、外に向かって伸びて二つのポジティブフィルム溝１１４を形成し、また、二つのポジティブフィルム溝１１４の間にリブ１１８を設けて、二つのポジティブフィルム溝１１４を隔てている。ポジティブフィルム１９２をスキャンする際は、図２で示すように、ポジティブフィルム１９２をポジティブフィルム溝１１４に載置してスキャンする。また、ネガティブフィルム１９４をスキャンする際は、図３で示すように、長方形のネガティブフィルム１９４をネガティブフィルム溝１１２に載置してスキャン待機し、矩形状の挟み台座１１０ある二つの係止挟みがネガティブフィルム１９４の短手端を係止して、リブ１１８がネガティブフィルムの長手端を固定する。
【０００５】
矩形状の押し蓋１２０の中は、プレート１２２の厚みが突起板１２４の厚みよりも薄く設計しているが、その原因は突起板１２４がネガティブフィルム溝１１２のネガティブフィルム１９４を固定するのに用いられ、矩形状の押し蓋１２０が矩形状の挟み台座１１０に係止される際、突起板１２４はネガティブフィルム１９４に当接し、ネガティブフィルム１９４の厚みがポジティブフィルム１９２よりも薄いので、突起板１２４の厚みの方が厚くなる。またポジティブフィルム１９２をポジティブフィルム溝１１４に載置すると、矩形状の押し蓋１２０のプレート１２２はポジティブフィルム１９２に当接し、ポジティブフィルム１９２自体の周囲のボール紙の厚みが一様ではないので、プレート１２２がポジティブフィルム１９２を当接すると、ポジティブフィルム１９２に依然として若干弛み現象が生じるので、矩形状の押し蓋１２０に弾性アーム１２６を設けて、ポジティブフィルム１９２周囲のボール紙の厚みの違いによって自動的に調整を行なうことで、ポジティブフィルム１９２の弛み現象を改善することが出来る。
【０００６】
再度図１に戻り、ホルダー１００の矩形状の挟み台座１１０と矩形状の押し蓋１２０のピボットは回転シャフト１５０及び回転シャフト係止フック１５２の結合で完成する。回転シャフト１５０は矩形状の押し蓋１２０の長手端Ａに設け、カンム係止フック１２８は矩形状の押し蓋１２０の他の長手端つまり長手端Ｂに設け、矩形状の押し蓋１２０の回転によりカンム係止フック１２８と矩形状の挟み台座１１０のフック溝１１６とを結合させて、矩形状の押し蓋１２０と矩形状の挟み台座１１０が係止する効果を達成させる。然しながら、回転シャフト１５０を矩形状の押し蓋１２０の長手端Ａに設置する設計は、係止効果を具えたカンム係止フック１２８を矩形状の押し蓋１２０の片側だけに集中させると、矩形状の押し蓋１２０の固定力が不足することとなり、また、ホルダー１００の中でユーザーが矩形状の押し蓋１２０を開ける箇所は矩形状の押し蓋１２０の単一長手端に過ぎず、このような片側の設計には引いて開ける方式による矩形状の押し蓋１２０を開けるだけの十分な応力点がなく、ユーザーにとって不便である。このほか、ポジティブフィルム１９２をスキャンする際、回転シャフト１５０がポジティブフィルム１９２の長手端Ａに位置しているので、矩形状の押し蓋１２０が矩形状の挟み台座１１０に覆われてしまうと、回転シャフト１５０の体積が長手端Ａと矩形状の挟み台座１１０の間のギャップを長手端Ｂと矩形状の挟み台座１１０間のギャップよりも大きくさせ、両側のプレート１２２と弾性アーム１２６がポジティブフィルム１９２の当接力と不均衡になり、当業者の知るように、即ちスキャナ中のスキャナモジュールが長手端Ａに相対するのと長手端Ｂに相対するのとでは、その焦点深度に差が生じることとなり、こうした状況で行なったスキャンにはイメージに歪みがでる虞がある。
【０００７】
このため使い勝手が簡便で、歪みイメージが発生しないホルダーが必要となるのである。
【発明の開示】
【発明が解決しようとする課題】
【０００８】
本発明の目的はポジティブフィルムとネガティブフィルムを載置できるホルダー装置を提供することにあり、特にスキャンして得られたイメージが歪まないホルダー装置である。
【課題を解決するための手段】
【０００９】
好ましい実施例において、本発明はポジティブフィルムとネガティブフィルムを載置できるホルダー装置を提示し、それは下記の特徴を含む。２個の長手端と２個の短手端を有し、さらに矩形状の凹部を有し、ポジティブフィルムとネガティブフィルムをその中に載置するのに用いられる矩形状の挟み台座と、２個の長手端と２個の短手端を有し、ポジティブフィルムとネガティブフィルムを挟み台座に挟むのに用いられる矩形状の押し蓋とを含み、押し蓋の短手端には挟み台座の短手端にピボットし矩形凹部に収納される。
【００１０】
好ましい実施例において、矩形凹部にある２個長手端はフック孔を複数設置し、押し蓋の２個長手端は複数のフック孔に対応し、複数フック孔と結合するための複数のカンムを設置する。
【００１１】
好ましい実施例において、矩形凹部にある２個長手端の２個端部のカンム係止フックはそれぞれ傾斜面を持っている。
【００１２】
好ましい実施例において、矩形凹部の周囲にさらにポジティブフィルムを載置する位置を定義するための複数のリブを含む。
【００１３】
好ましい実施例において、矩形状押し蓋にある２個長手端はさらにネガティブフィルムを押さえ付けるための複数の突起柱を含む。
【００１４】
好ましい実施例において、矩形状押し蓋にある２個長手端はさらにポジティブフィルムを押さえ付けるための複数の弾性アームを含む。
【００１５】
好ましい実施例において、押し蓋は弾性プラスチックから構成される。
【００１６】
好ましい実施例において、押し蓋の２個長手端にそれぞれ複数の弾性押しボタンを有する。
【００１７】
好ましい実施例において、挟み台座はさらに係止ロックと２個係止部材を含み、ホルダーをイメージ処理装置のバックライトに固着する。
【００１８】
好ましい実施例において、本発明はポジティブフィルムとネガティブフィルムをスキャンできるイメージ処理装置を提示し、それは下記の特徴を含む。バックライトと、ポジティブフィルムとネガティブフィルムを載置するための透明のプラットフォームと、ポジティブフィルムとネガティブフィルムをスキャンするためのスキャンモジュールと、２個長手端と２個短手端を有し、脱着方式によりバックライトに設置するホルダーを含み、また、ホルダーはさらに２個長手端と２個短手端を有する矩形状の挟み台座を有し、矩形状の挟み台座はさらにポジティブフィルムとネガティブフィルムをその中に載置するための矩形凹部と、２個長手端と２個短手端を有し、ポジティブフィルムとネガティブフィルムを挟み台座に挟持するための矩形押し蓋であって、押し蓋の短手端は挟み台座の短手端にピボットし、矩形凹部に収納される。
【００１９】
好ましい実施例において、イメージ処理装置はスキャン装置または多機能の事務機器である。
【発明を実施するための最良の形態】
【００２０】
ホルダーの欠点を改善するために、本発明では操作が簡便で且つイメージスキャンによる歪み現象を改善した改良したホルダーを提示する。図４は本発明のホルダーの概略図である。ホルダー２００は矩形状の挟み台座２１０並びに矩形状の押し蓋２２０を含む。矩形状の挟み台座２１０は二個の長手端並びに二個の短手端を有し、且つ矩形凹部２４０、係止フック２３０、係止部材２３２を含み、前記二個の長手端並びに二個の短手端はそれぞれ長手端Ｃ、長手端Ｄと短手端Ｅ、短手端Ｆである。矩形状の押し蓋２２０にも二個の長手端並びに二個の短手端を有し、それぞれ長手端Ｇ、長手端Ｈと短手端Ｉ、短手端Ｊである。また、前記矩形状の押し蓋２２０は回転シャフト係止フック２５２に設置されることで、矩形状の挟み台座２１０の短手端Ｆの回転シャフト２５０にピボットし、前記矩形状の押し蓋２２０は矩形状の挟み台座２１０に対して回転する。
【００２１】
矩形状の挟み台座２１０の矩形凹部２４０の長手端Ｃと長手端Ｄの内側に複数のフック溝２１６を設置し、各フック溝２１６の箇所にそれぞれリブ２１８を設置する。このほか、矩形状の押し蓋２２０の長手端Ｇと長手端Ｈに矩形状の挟み台座２１０上の各フック溝２１６の位置に対応して、何れもカンム係止フック２２８を設置し、また、二つの長手端の端のカンム係止フック２２８には傾斜面を設け、そのうち短手端Ｉに近いカンム係止フック２２８は第一傾斜面２２８３を有する第一傾斜面カンム係止フック２２８１とし、短手端Ｊに近いカンム係止フック２２８は第二傾斜面２２８４を有する第二傾斜面カンム係止フック２２８２とする。矩形状の押し蓋２２０の中に、それぞれ二つのカンム係止フック２２８（傾斜面カンム係止フックを含む）の間に弾性押しボタン２２２を設け、各弾性押しボタン２２２のある長手端の内側に弾性アーム２２６を設置する。同様の原理で、各カンム係止フック２２８（傾斜面カンム係止フックを含まない）のある長手端の内側に突起柱２２４を設置する。
【００２２】
ユーザーがホルダー２００でポジティブフィルムとネガティブフィルムをスキャンしようとする際、ユーザーは矩形状の押し蓋２２０の二つの長手端Ｇ、Ｈの弾性押しボタン２２２を指でプッシュすると、矩形状の押し蓋２２０が変形し、矩形状の押し蓋２２０が変形するや否や、フック溝２１６に係止しているカンム係止フック２２８がフック溝２１６から緩んで外れ始め、変形がよりはっきりするに連れて、カンム係止フック２２８の緩み程度が大きくなり、カンム係止フック２２８が完全にフック溝２１６から緩んで外れると、ユーザーは矩形状の押し蓋２２０を回転させ矩形凹部２４０から離すことが出来る。また、本発明は第一傾斜面カンム係止フック２２８１が変形した際、第一傾斜面カンム係止フック２２８１はフック溝２１６から外れ始め、第一傾斜面２２８３と長手端Ｃと相互に平行にして、形が変化するにつれて、第一傾斜面カンム係止フック２２８１を一般のカンム係止フック２２８より容易にフック溝２１６から外し、第二傾斜面２２８４もまた然りである。また、矩形状の押し蓋２２０は外部圧力で変形するが、その外力が無くなると、矩形状の押し蓋２２０の材質が弾性プラスチックなので、一定の程度の外力にも耐えて原状に復元する能力を具えており、矩形状の押し蓋２２０は外力が消失すると原状回復出来る。
【００２３】
図５で示すように、ホルダー２００が開いて、矩形状の挟み台座２１０の矩形凹部２４０にポジティブフィルムを載置すると、矩形状の挟み台座２１０のリブ２１８はポジティブフィルムを載置する領域を定義することができ、ポジティブフィルムは矩形凹部２４０に載置される。ポジティブフィルム１９２が位置決めされると、回転シャフト２５０が矩形状の押し蓋２２０を回転させることで、スキャン待機しているポジティブフィルム１９２に被せる。矩形状の押し蓋２２０を被せると、第二傾斜面カンム係止フック２２８２の第二傾斜面カ２２８４は矩形状の押し蓋２２０のカンム係止フック２２８がスムーズに矩形凹部２４０に入りフック溝２１６と係止する。矩形状の押し蓋２２０が矩形状の挟み台座２１０に係止すると、長手端Ｇと長手端Ｈの複数の弾性アーム２２６はポジティブフィルム１９２を押さえ付けてポジティブフィルムを固定させる効果を果たす。当然のことながら、ポジティブフィルム１９２の周囲のペーパーの厚みの違いにより、弾性アーム２２６の押さえつける力を調整でき、異なるペーパーの厚みを持つポジティブフィルム１９２を何れもしっかりと固定させることが出来る。
【００２４】
図６で示すように、ネガティブフィルムを載置しようとすると、ホルダー２００の開き方は上記の方式と同様で、ネガティブフィルムを矩形状の挟み台座２１０の矩形凹部２４０に載置すると、矩形状の挟み台座２１０の短手端Ｆの二つの係止挟み２３４はネガティブフィルムの短手端を係止し、矩形状の挟み台座２１０のリブ２１８はネガティブフィルムの長手端を固定するのでネガティブフィルムは緩まない。ホルダー２００が閉まると、矩形状の押し蓋２２０は矩形状の挟み台座２１０に係止し、矩形状の押し蓋２２０の二つの長手端の突起柱２２４はネガティブフィルム１９４を押さえ付けて固定効果を発揮する。
【００２５】
図７は本発明のホルダーにイメージ処理装置を組み合わせた概略図である。イメージ処理装置３００はバックライト３１０、透明のプラットフォーム３１２、スキャナモジュール（図上には表示していない）及びホルダー２００を含み、ホルダー２００は係止フック２３０と係止部材２３２によってイメージ処理装置３００のバックライト３１０に取り付けられる。
【００２６】
ポジティブフィルム若しくはネガティブフィルムが上記の方式でホルダー２００に載置されると、ユーザーはホルダー２００とイメージ処理装置３００を組み合わせてポジティブフィルム若しくはネガティブフィルムをスキャンし、ホルダー２００の二つの係止部材２３２をバックライト３１０の凹溝下方の二つの小さな凹溝にセットして、さらにホルダー２００をバックライト３１０の凹溝にセットして、最後にホルダー２００の係止フック２３０がバックライト３１０と係止動作して、ホルダー２００を取り付け完了次第バックライト３１０を被せると、スキャナモジュールが透明のプラットフォーム３１２を通してホルダー２００の中のポジティブフィルム若しくはネガティブフィルムにスキャンを行なう。以上がポジティブフィルム若しくはネガティブフィルムをスキャンするプロセスである。
【００２７】
従来の技術と比べて、本発明が提示したホルダー２００は二列の弾性押しボタン２２２を具えた矩形状の押し蓋２２０がユーザーに両サイドからの応力点を提供し、使用してみると、片側のみにカンム係止フック１２８を具えた従来のホルダー１００より便利である。また、回転シャフト２５０がホルダー２００の短手端Ｆに設置されていて、真っ直ぐ上に開ける方式のホルダー装置であり、カンム係止フック２２８の二つの長手端をホルダー２００に取り付けて係止すると、二つの長手端が受ける当接力は同様となるので、スキャンされたポジティブフィルムイメージは力による不均衡で歪み現象を生じることがない。また、本発明の矩形状の押し蓋２２０の二つの長手端のカンム係止フック２２８の個数も従来の矩形状の押し蓋１２０による単一の長手端のカンム係止フック１２８の個数よりも２倍多くなっており、つまり本発明のホルダー２００は二列のカンム係止フック２２８を具えているのでホルダー２００を係止させると一層強固になるのである。上記の内容から分るように、本発明のホルダーは従来のホルダーの使用上の利便性並びにスキャン効果における欠点を確実に改善している。
【００２８】
上記内容は本発明の好ましい実施例に過ぎず、本発明の特許申請範囲を限定するものではなく、また、本発明で開示した趣旨を逸脱しない範囲において完成した等価改変若しくは補正は、全て本案における特許申請の範囲内に含まれるものとする。
【図面の簡単な説明】
【００２９】
【図１】従来のホルダーの概略図である。
【図２】従来のホルダーにポジティブフィルムを載置した概略図である。
【図３】従来のホルダーにネガティブフィルムを載置した概略図である。
【図４】本発明のホルダーの概略図である。
【図５】本発明のホルダーにポジティブフィルムを載置した概略図である。
【図６】本発明のホルダーにネガティブフィルムを載置した概略図である。
【図７】本発明のホルダーにイメージ処理装置のバックライトを組み合わせた概略図である。
【符号の説明】
【００３０】
１００，２００    ホルダー
１１０，２１０    矩形状の挟み台座
１１２    ネガティブフィルム溝
１１４    ポジティブフィルム溝
１１６，２１６    フック孔
１１８，２１８    リブ
１２０，２２０    矩形状の押し蓋
１２２    プレート
１２４    突起板
１２６，２２６    弾性アーム
１２８，２２８    カンム係止フック
１３０，２３０    係止ロック
１３２，２３２    係止部材
１３４，２３４    係止挟み
１５０，２５０    回転シャフト
１５２，２５２    回転シャフト係止フック
１９２    ポジティブフィルム
１９４    ネガティブフィルム
２２２    弾性押しボタン
２２４    突起柱
２２８１，２２８２    傾斜面のカンム係止フック
２２８３，２２８４    傾斜面
２４０    矩形凹部
３００    イメージ処理装置
３１０    バックライト
３１２    透明のプラットフォーム
C，D，G，H    長手端
E，F，I，J    短手端
【図１】
2008146000.tif 000003
【図２】
2008146000.tif 000004
【図３】
2008146000.tif 000005
【図４】
2008146000.tif 000006
【図５】
2008146000.tif 000007
【図６】
2008146000.tif 000008
【図７】
2008146000.tif 000009